(57)【要約】      （修正有）【課題】外装シートの生産効率及び仕切りシートと外装シートの組み付け作業の作業性を向上させる見出し付きファイルを提供する。【解決手段】見出し付きファイルは、表紙３１、３２の間に複数枚の仕切りシート１１〜１８を有し、各仕切りシートは、上方及び内側方に開放し且つ仕切りシートを収容する外装シート２２、２３が設けられ、各仕切りシートの外側辺部１には、複数枚の仕切りシートを重ね合わせたときに順にずれて並列するように見出し片１１１〜１８１が突設されている。各外装シートには、外装シート２２に収容する仕切りシート１４の見出し片１４１が挿通可能な見出し片挿通孔２０が外側方の折り曲げ辺部２００に開口形成されている。見出し片挿通孔は、外装シートに収容する仕切りシートの見出し片が挿通可能な位置に、二つ以上の見出し片１３１、１４１を挿通可能とする上下方向の長さで開口形成されている。【選択図】図１
0003227354.tif 000002
【実用新案登録請求の範囲】
【請求項１】
表表紙と裏表紙との間に内側辺部が綴じ込まれている複数枚の仕切りシートを有し、
前記各仕切りシートは、上方及び内側方に開放し且つ前記仕切りシートを収容する扁平袋状の外装シートが設けられ、且つ前記各仕切りシートの外側辺部には、複数枚の仕切りシートを重ね合わせたときに順にずれて並列するように見出し片が突設され、
前記各外装シートには、当該外装シートに収容する仕切りシートの見出し片が挿通可能な見出し片挿通孔が外側方の折り曲げ辺部に開口形成され、
前記見出し片挿通孔は、当該外装シートに収容する仕切りシートの見出し片が挿通可能な位置に、二つ以上の見出し片を挿通可能とする上下方向の長さで開口形成されている見出し付きファイル。
【請求項２】
請求項１に記載の見出し付きファイルにおいて、
前記表表紙と前記裏表紙は、背表紙を介して連続する一枚の弾性樹脂製シートからなり、
前記仕切りシート及び前記外装シートは、弾性樹脂製シートからなり、
前記外装シートは、縦中心線上に前記見出し片挿通孔が開口形成されると共に前記縦中心線で二つ折りされて前記仕切りシートの表裏が被覆され、前記見出し片の基端部が前記見出し片挿通孔の周縁部に略当接した状態で前記仕切りシートの下側辺部に溶着により止着され、
前記仕切りシートの内側辺部は、前記外装シートの内側方へ突出しており、この内側辺部を前記背表紙に溶着により止着された見出し付きファイル。
【請求項３】
請求項１又は２に記載の見出し付きファイルにおいて、
前記見出し片は、仕切りシートと同一素材で一体形成され、
前記各仕切りシート及び見出し片は、異なる色のカラーシートで形成され、
前記外装シートは、透明樹脂シートにより形成されている見出し付きファイル。
【考案の詳細な説明】
【技術分野】
【０００１】
本考案は、複数枚の仕切りシートに見出し片が突設された見出し付きファイルに関する。
【背景技術】
【０００２】
従来、チラシや資料等の書類を孔を開けずに区分けして整理し保管するファイルとして、略矩形状の仕切りシートを、上方及び内側方に開放させた扁平袋状の外装シート内に収容した状態で止着し、仕切りシートの内側辺部を表表紙と裏表紙間に複数枚綴じ込んだ構成のファイルが知られている（特許文献１）。このものでは、仕切りシートの表裏両面における外装シートで覆われた範囲がそれぞれ収容部として機能する。
【先行技術文献】
【特許文献】
【０００３】
【特許文献１】特開平９−３００８７２号公報
【考案の概要】
【考案が解決しようとする課題】
【０００４】
複数枚の仕切りシートの各々の外側辺部に見出し片を突設させた見出し付きファイルがあり、各見出し片は、仕切りシートを複数枚重ねたときに相互に重ならないように順にずれた位置に突設させている。上記したような外装シート内に収容した仕切りシートに見出し片を設けるには、見出し片の突設位置に対応する外装シートの所定個所に、一つの見出し片を突出させるための見出し挿通孔を外側方に開放するように形成する必要がある。見出し片の突設位置は、各仕切りシートによって位置ずれするよう異なるから、外装シートに設ける見出し挿通孔も、各仕切りシートの見出し片の突設位置に合わせて各々異なった位置に形成させる必要がある。
【０００５】
そのため、複数枚の仕切りシートに対して、各々の見出し片の位置に合わせた外装シートを作製する必要があり、外装シートの生産が面倒で、生産コストがかかってしまうという問題がある。また、仕切りシート毎に、その見出し片の突出位置に対応した箇所に見出し片挿通孔を有する外装シートを用意し、その外装シート内に仕切りシートを収容すると同時に、見出し片を見出し挿通孔に挿通させる作業が必要であるから、見出し付きファイルの製造が非常に手間で面倒であり作業性が悪い。
【０００６】
本考案は、以上の事情に鑑みてなされたものであり、外装シートの生産工程を簡略化して生産コストを抑えると共に、仕切りシートと外装シートの組み付け作業の煩雑化を抑えることができる見出し付きファイルを提供することを課題とする。
【課題を解決するための手段】
【０００７】
本考案に係る見出し付きファイルは、
表表紙と裏表紙との間に内側辺部が綴じ込まれている複数枚の仕切りシートを有し、
前記各仕切りシートは、上方及び内側方に開放し且つ前記仕切りシートを収容する扁平袋状の外装シートが設けられ、且つ前記各仕切りシートの外側辺部には、複数枚の仕切りシートを重ね合わせたときに順にずれて並列するように見出し片が突設され、
前記各外装シートには、当該外装シートに収容する仕切りシートの見出し片が挿通可能な見出し片挿通孔が外側方の折り曲げ辺部に開口形成され、
前記見出し片挿通孔は、当該外装シートに収容する仕切りシートの見出し片が挿通可能な位置に、二つ以上の見出し片を挿通可能とする上下方向の長さで開口形成されているものである。
【０００８】
前記構成より、一枚の仕切りシートの外側辺部に突設する一つの見出し片は、表表紙と裏表紙との間に前記仕切りシートを複数枚綴じた状態にて、表表紙側の第１頁目から裏表紙側の最終頁目にわたって、相互に重なり合うことなく、順にずれて位置するように各仕切りシートによってその突設位置が設定されている。一つの外装シートに形成される見出し片挿通孔は、二つ以上の見出し片が挿入可能な大きさ及び位置に開口形成されているから、隣り合って重ねる複数の仕切りシートについて、同じ外装シートを利用することができる。例えば、直立させた一枚目の仕切りシートの見出し片の下方に、二枚目の仕切りシートの見出し片が位置する態様となるが、これら一枚目と二枚目の仕切りシートの各見出し片を挿通可能な１つの見出し片挿通孔を有する外装シートを２枚用意しておけば、同じ外装シートを、上記した一枚目と二枚目の２枚の仕切りシート用として使用することができる。この場合、各外装シートに開口形成させる見出し片挿通孔の大きさは、一枚目の仕切りシートの見出し片の上端から、二枚目の仕切りシートの見出し片の下端までの長さに略一致させておけばよく、一枚目の仕切りシートの見出し片が、前記見出し片挿通孔の上部域から突出し、二枚目の仕切りシートの見出し片が、前記見出し片挿通孔の下部域から突出するようにその開口位置を決定しておけば良い。このものでは、見出し片挿通孔は、一つの見出し片の長さの少なくとも２倍以上の長さに設定されているから、外装シートの上方及び内側方から仕切りシートを収容する際に、見出し片を見出し片挿通孔に挿通し易いものとなる。
【０００９】
上記見出し付きファイルにおいて、
前記表表紙と前記裏表紙は、背表紙を介して連続する一枚の弾性樹脂製シートからなり、
前記仕切りシート及び前記外装シートは、弾性樹脂製シートからなり、
前記外装シートは、縦中心線上に前記見出し片挿通孔が開口形成されると共に前記縦中心線で二つ折りされて前記仕切りシートの表裏が被覆され、前記見出し片の基端部が見出し片挿通孔の周縁部に略当接した状態で前記仕切りシートの下側辺部に溶着により止着され、
前記仕切りシートの内側辺部は、前記外装シートの内側方へ突出しており、この内側辺部を前記背表紙に溶着により止着された構成とすることができる。
【００１０】
この場合、外装シートを縦中心線に沿って二つ折りにし、その折り曲げ部分に仕切りシートの外側辺部を当接させ且つ前記縦中心線上に開口形成した見出し片挿通孔から仕切りシートの見出し片を突出させた状態で、外装シートを仕切りシートの下側辺部を溶着により止着する。これにより、仕切りシートの表面と外装シートの一方面との間、及び、仕切りシートの裏面と外装シートの他方面との間に、各々独立した扁平袋状の書類収容部が形成される。外装シートが溶着された状態にて、仕切りシートの内側辺部は外装シートの内側方に突出されているから、この内側辺部を背表紙の内面に溶着により止着させる。
そして、背表紙の両側に表表紙と裏表紙が対向するように起立させると、表裏表紙間に外装シートを具備させた複数枚の仕切りシートが閉じられた丈夫な見出し付きファイルが構成される。前記仕切りシート及び外装シートは各々弾性樹脂製シートから構成されているから、外装シートは仕切りシートの表裏両面を各々弾性的に押圧する態様で被覆する。
よって、各書類収容部に差し込まれた書類等の被収容物は、外装シートによって仕切りシート側へ弾性的に押圧されるから、被収容物は、外装シートと仕切りシートの表裏両面との間に確実に挟持され、被収容物は、外装シートの上方及び内側方の開放部や、見出し片挿通孔から不用意にはみ出したり落下したりする不都合はない。
【００１１】
上記見出し付きファイルにおいて、
前記見出し片は、仕切りシートと同一素材で一体形成され、
前記各仕切りシート及び見出し片は、異なる色のカラーシートで形成され、
前記外装シートは、透明樹脂シートにより形成されているものとすることができる。
この場合、複数の仕切りシートを全て異なる色のカラーシートで構成することで、カラフルな仕切りシート群となり、見出し付きファイルの美観が向上する。特に、複数の仕切りシートとして、虹色を基本とした配色のカラーシートを採用し、それを虹の配色順に重ね合わせれば、仕切りシートの外側辺部に沿って、見出し片による虹色グラデーションが形成され、一層美しい外観の見出し付きファイルを提供することができる。外装シートは、透明樹脂シートであるから、仕切りシートに被覆させても各仕切りシートの配色を損なうことなく、また、外装シートと仕切りシートとの間に収容される書類等の被収容物は、収容状態のまま、透明な外装シートを介して閲覧することができる。
【考案の効果】
【００１２】
以上より、本考案に係る見出し付きファイルによれば、見出し片の突出位置が各々異なる複数の仕切りシートに対して、同じ箇所に同じ大きさの見出し片挿通孔を開口形成させた同じ外装シートを使用することができる。よって、一枚の仕切りシートに対して一枚の外装シートを各々別個に作成する手間が省け、外装シートの生産工程が簡略化すると共に生産効率を向上させ、その分、生産コストを抑えることができる。
また、見出し片挿通孔は、見出し片二つ分以上の大きさに開口形成されているから、仕切りシートを外装シートに収容させる組み付け作業時に、見出し片を見出し片挿通孔に挿通し易い。よって、仕切りシートと外装シートの組み付け作業が容易となり、生産性を向上することができる。
【図面の簡単な説明】
【００１３】
【図１】本考案の実施形態による見出し付きファイルの見開き状態の説明図である。
【図２】本考案の実施形態による見出し付きファイルに採用する外装シートの展開図である。
【図３】本考案の実施形態による見出し付きファイルの仕切りシートに外装シートを被覆させた状態を示す説明図である。
【図４】本考案の実施形態による見出し付きファイルの仕切りシートに外装シートを被覆させた状態を示す説明図である。
【図５】本考案の他の実施の形態による見出し付きファイルの斜視図である。
【考案を実施するための形態】
【００１４】
以下に、本考案の実施の形態について説明する。
図１に示すように、実施形態の見出し付きファイルは、縦長矩形状の表表紙３１と裏表紙３２及びこれらの間に配設されている帯状の背表紙３０とから形成した台紙３と、背表紙３０の内面に溶着され、表裏表紙３１，３２間に綴じられている８枚の縦長略矩形状の仕切りシート１１〜１８とを備えている。各仕切りシート１１〜１８には、外装シート２１〜２４が設けられている。なお、図１では、仕切りシート１１〜１８のうち、第４番目と第５番目の仕切りシート１４，１５と、各仕切りシート１１〜１８を収容する外装シート２１〜２４のうち、第４番目と第５番目の仕切りシート１４，１５を収容する外装シート２２，２３を示している。台紙３、仕切りシート１１〜１８及び外装シート２１〜２４は、各々弾性樹脂製シートから構成している。
【００１５】
各仕切りシート１１〜１８の外側辺部１には、見出し片１１１〜１８１が各々突設されており、各外装シート２１〜２４には、各見出し片１１１〜１８１を突出させるための見出し片挿通孔２０が開口形成されている。なお、この実施の形態では、上記した８枚の仕切りシート１１〜１８は、全て異なる色のカラーシートで形成されており、最も表表紙３１側に位置する第１仕切りシート１１を赤色とすると共に、最も裏表紙３２側に位置する第８シート１８を紫色とし、第１仕切りシート１１から第８仕切りシート１８に至る８枚の仕切りシート１１〜１８で、赤から紫に至る虹色グラデーションが構成された配色としている。
【００１６】
各仕切りシート１１〜１８の外側辺部１には、各々見出し片１１１〜１８１が外側方に突設されているが、８枚の仕切りシート１１〜１８を、グラデーションの配色順に重ね合わせたとき、各見出し片１１１〜１８１は、図１に示すように、それぞれ表裏に重なり合うことなく、外側辺部１に沿って上下に位置ズレして並列されるようにして、各仕切りシート１１〜１８における見出し片１１１〜１８１の突出位置が各々設定されている。
【００１７】
外装シート２１〜２４は、図２（Ａ）〜（Ｄ）に示すように、略台形状の１枚の透明樹脂シートからなり、その縦中心線２上に、縦長スリット状の見出し片挿通孔２０が開口されている。これを縦中心線２で二つ折りにして、各仕切りシート１１〜１８を各々の外側辺部１側から挟み込む。外装シート２１〜２４としては、見出し片挿通孔２０の形成位置の異なる４種類が用意され、一つの見出し片挿通孔２０の縦長さは、上下に連続するように位置させたときの２つの見出し片を合わせた縦長さに略一致する長さに設定されている。
【００１８】
具体的には、図２（Ａ）に示す第１外装シート２１は、図３（Ａ）（Ｂ）に示すように、最も表表紙３１側に位置する第１仕切りシート１１用と次頁の第２仕切りシート１２用として製作されたものである。第１外装シート２１に設けられている見出し片挿通孔２０は、第１仕切りシート１１の見出し片１１１と、第２仕切りシート１２の見出し片１２１の突出位置に対応する位置に開口形成されている。この第１外装シート２１は、第１仕切りシート１１に被覆させた状態では、見出し片１１１は第１外装シート２１の見出し片挿通孔２０の上部域から外方へ突出し、第２仕切りシート１２に被覆させた状態では、見出し片１２１は見出し片挿通孔２０の下部域から外方へ突出する態様となる。
【００１９】
同様に、図２（Ｂ）に示す第２外装シート２２は、図３（Ｃ）（Ｄ）に示すように、第２仕切りシート１２に続く第３仕切りシート１３用とさらにその次頁の第４仕切りシート１４用に製作されたものであり、この第２外装シート２２に設けられている見出し片挿通孔２０は、第３仕切りシート１３の見出し片１３１と、第４仕切りシート１４の見出し片１４１の突出位置に対応する位置に開口形成されており、第２外装シート２２は、第３仕切りシート１３の見出し片１３１を見出し片挿通孔２０の上部域から外方へ突出し、第４仕切りシート１４の見出し片１４１を見出し片挿通孔２０の下部域から外方へ突出する態様となる。
【００２０】
同様に、図２（Ｃ）に示す第３外装シート２３は、第５仕切りシート１５用、第６仕切りシート１６用として作製されたものであり、図４（Ｅ）に示す第５仕切りシート１５の見出し片１５１を見出し片挿通孔２０の上部域から外方へ突出し、図４（Ｆ）に示す第６仕切りシート１６の見出し片１６１を見出し片挿通孔２０の下部域から外方へ突出する態様となる。また、図２（Ｄ）に示す第４外装シート２４は、第７仕切りシート１７用、第８仕切りシート１８用として作製されたものであり、図４（Ｇ）に示す第７仕切りシート１７の見出し片１７１を見出し片挿通孔２０の上部域から外方へ突出し、図４（Ｈ）に示す第８仕切りシート１８の見出し片１８１を見出し片挿通孔２０の下部域から外方へ突出する態様となる。
【００２１】
上記したように、仕切りシートとしては、見出し片１１１〜１８１の突設位置が各々異なる８種類の第１〜第８仕切りシート１１〜１８を採用したが、これに被覆させる外装シートは第１〜第４外装シート２１〜２４の４種類だけである。すなわち、２種類の仕切りシートに対して同じ外装シートを共通に使用できるようにしたから、外装シートの生産効率が向上し、その分生産コストを抑えられる。
【００２２】
上記したように、第１，第２仕切りシート１１，１２は二つ折りにした第１外装シート２１を用い、第３，第４仕切りシート１３，１４は二つ折りにした第２外装シート２２を用い、第５，第６仕切りシート１５，１６は二つ折りにした第３外装シート２３を用い、第７，第８仕切りシート１７，１８は二つ折りにした第４外装シート２４を用い、それぞれの外側辺部１側から収容し、各見出し片挿通孔２０から見出し片１１１〜１８１を各々突出させると共に、各々の外側辺部１を各外装シート２１〜２４の縦中心線２である折り曲げ辺部２００に当接するまで差し込む。このとき、各外装シート２１〜２４の内側方から各仕切りシート１１〜１８の内側辺部１０寄りの部分が露出するように、各々の寸法は設定されている。そして、この状態で、各外装シート２１〜２４の下辺部を各仕切りシート１１〜１８の下側辺部に沿って熱溶着により接合し一体とする。
【００２３】
これにより、各仕切りシート１１〜１８の表裏両面と、外装シート２１〜２４の表裏両面との間に、仕切りシートの内側辺部１０側と上方に開放し、溶着部４によって下方が、縦中心線２に沿った折り曲げ辺部２００によって外側方が閉塞された態様の扁平袋状の収容部１００が各々独立した状態で形成される。各仕切りシート１１〜１８はカラー樹脂シート製とし、外装シート２１〜２４は透明樹脂シート製としたから、外装シートで被覆されても各仕切りシートの色は全域的に視覚可能であり、各カラーシートの配色による美観が損なわれることはない。また、収容部１００に書類等の被収容物を収容した状態では、前記被収容物は、透明の外装シート２１〜２４を介して視認可能であるから使い勝手が良い。
【００２４】
また、各仕切りシート１１〜１８及び外装シート２１〜２４は共に弾性を有する樹脂製シートで構成したから、収容部１００内に収容される書類等の被収容物は、外装シート２１〜２４によって仕切りシート１１〜１８の表裏各面に弾性的に押圧された状態で収容される。これにより、外装シート２１〜２４と仕切りシート１１〜１８の表裏両面との間に収容させた被収容物は、各外装シート２１〜２４の上方及び内側方の開放部や、見出し片挿通孔２０から不用意に脱落する不都合は抑制される。
【００２５】
そして、外装シート２１〜２４を具備させた８枚の仕切りシート１１〜１８の内側辺部１０を、背表紙３０の内面にスポット溶着により接合させるが、このとき、図１に示すように、第１〜第４仕切りシート１１〜１４の内側辺部１０は、背表紙３０のうち表表紙３１寄りの所定範囲に、第５〜第８仕切りシート１５〜１８は、背表紙３０のうち、裏表紙３２寄りの所定範囲に、それぞれ分けてセットし、４枚ずつ背表紙３０の所定位置に溶着されている。このように、仕切りシートを４枚ずつに分けて溶着することで、全ての仕切りシート１１〜１８を確実に溶着により接合することができ、長期の使用によっても仕切りシートの不用意な脱落を防止することができる比較的丈夫な見出し付きファイルが得られる。
【００２６】
なお、上記した実施形態では、外装シート２１〜２４に設ける見出し片挿通孔２０は、隣接する仕切りシート（例えば、第１，第２仕切りシート１１，１２）から突出する２つの見出し片（例えば、見出し片１１１，１２１）が突出可能な長さ、大きさとしたが、図５に示すように、隣接する３枚の仕切りシート４１〜４３からそれぞれ位置ズレした位置から突出させた３つの見出し片４１１，４２１，４３１が突出可能な大きさとしても良い。この場合、３種類の仕切りシートに対して、同じ大きさの見出し片挿通孔が同じ位置に開口している１種類の外装シートを用意すればいいから、生産性及び組み付け作業性が一層向上する。なお、外装シートの見出し片挿通孔２０は、２つ又は３つの見出し片の長さのものに限らず、２つ以上の見出し片の長さ、大きさに形成したものとすることができる。
【００２７】
尚、台紙３や、仕切りシート、外装シートは、弾性を有する厚紙製であってもよく、仕切りシートと外装シート及び仕切りシートと台紙とは、接着剤による接合してもよい。
【符号の説明】
【００２８】
１  外側辺部
２  縦中心線
３  台紙
４  溶着部
１０  内側辺部
１１〜１８  仕切りシート
２０  見出し片挿通孔
２１〜２４  外装シート
３０  背表紙
３１  表表紙
３２  裏表紙
４１  仕切りシート
１１１〜１８１  見出し片
１００  収容部
２００  折り曲げ辺部
４１１  見出し片
【図１】
0003227354.tif 000003
【図２】
0003227354.tif 000004
【図３】
0003227354.tif 000005
【図４】
0003227354.tif 000006
【図５】
0003227354.tif 000007